(57)【要約】  石鹸を収納して吐出するためのキャラクタ形状多孔質ミトンであって、タオル地もしくは同様の材料で成形された外側本体と、棒状石鹸もしくは液体石鹸を保持するための石鹸ポケットであり、面ファスナを使用して締められる石鹸ポケットを含む内部空洞を裏打ちするスポンジ状材料とから成るミトン。ミトンの口部、胴体、もしくは後方部の領域から棒状石鹸もしくは液体石鹸が受け入れられて、使用者の身体を洗うのに使用する豊富な泡を作り出すための石鹸と水が混合されるまで収納される。指ポケットもしくはループは、使用者の指を受けて、豊富な泡がある状態でも使用者がミトンをしっかりと掴むことができるよう構成される。外側本体のきめの粗い部分は、使用者が肌をこする、もしくは肌角質を落とすことができるように、外側本体と使用者の肌との間でさらに摩擦を生じさせる。
2015530152.tif 000002
【特許請求の範囲】
【請求項１】
外側本体と、
外側本体の内部に配置された空洞と、
空洞へのアクセスを提供する外側本体の一部にある開口部と、
使用者の指を受けるよう構成される指ポケットもしくはループと
を備えたキャラクタ形状多孔質洗浄ミトン。
【請求項２】
空洞内に配置されるスポンジ状材料をさらに備えた、請求項１に記載のミトン。
【請求項３】
スポンジ状材料の内部に、石鹸ポケットが成形される、請求項２に記載のミトン。
【請求項４】
石鹸ポケットが、使用時に石鹸ポケット内で石鹸を保持するためにスポンジを構造的に補強する透水性物質で裏打ちされる、請求項３に記載のミトン。
【請求項５】
透水性材料がナイロンメッシュである、請求項４に記載のミトン。
【請求項６】
外側本体が、多孔質材料で成形される、請求項１に記載のミトン。
【請求項７】
多孔質材料がタオル地である、請求項６に記載のミトン。
【請求項８】
空洞が石鹸を保持するよう構成される、請求項１に記載のミトン。
【請求項９】
石鹸が固形石鹸である、請求項８に記載のミトン。
【請求項１０】
石鹸が液体石鹸である、請求項８に記載のミトン。
【請求項１１】
ポケットを裏打ちする材料が、子供に安全なファスナを使用してミトンに取り付けられる、請求項４に記載のミトン。
【請求項１２】
ファスナが面ファスナである、請求項１１に記載のミトン。
【請求項１３】
開口部が、ミトンの口部に配置される、請求項１に記載のミトン。
【請求項１４】
開口部が、ミトンの本体に配置される、請求項１に記載のミトン。
【請求項１５】
開口部が、ミトンの後方部に配置される、請求項１に記載のミトン。
【請求項１６】
指ポケットが、使用者の指を受けるよう構成される、請求項１に記載のミトン。
【請求項１７】
ループが、使用者の指を受けるよう構成される、請求項１に記載のミトン。
【請求項１８】
外側本体が、外側本体と使用者の肌との間でさらに摩擦が生じるように、きめの粗い部分を有する、請求項１に記載のミトン。
【発明の詳細な説明】
【技術分野】
【０００１】
本願は、２０１２年８月３０日に出願された米国仮特許出願第６１／６９５，２４０号の優先権を主張するもので、その全体が参照により組み込まれている。
【０００２】
本発明は、バスシャワーミトンの分野に関し、特に、天然もしくは合成スポンジ、またはスポンジ状材料で作られ、主に子供の興味を引く架空もしくは実在のキャラクタの形状に作られたバスシャワーミトンの分野に関する。
【背景技術】
【０００３】
石鹸と水とが相互作用する場合、石鹸と水との結合により豊富な泡が作り出されるということは、昔から周知である。この豊富な泡は、入浴もしくはシャワーをして、最大限に清潔にしたいと望んでいる人に望ましい泡である。２箇所以上の挿入点で石鹸を容易に挿入もしくは取り外しが可能であると同時に、石鹸を定位置で維持して水との相互作用を最大限に発揮することができるバスミトンもしくはシャワーミトンは、市場には見られない。
【０００４】
現在、ミトンの表面に、棒状石鹸もしくは液体石鹸を挿入することができるポケット状領域を備えたさまざまなバスシャワーミトンが市販されている。これらのミトンのいくつかは、例えば、動物もしくは架空のキャラクタのような形状であるが、一方では使用時に掴みやすく、子供に楽しみを与えると同時に、入浴もしくはシャワー時に身体を洗うために泡を最大限に作ることができるようにミトン内に石鹸と水を挿入して保持するプロセスを簡略化することができない。
【０００５】
さらに、現在市販されているバスシャワーミトンは、入浴時に好みに応じてミトンを保持するのに最も有利な位置を決定することができる２つ以上の方法もしくはミトン内の２箇所以上の位置で石鹸をミトンに挿入することができない。また、ミトンが洗浄用具としてより機能的であるほど、子供、特に幼児の興味を引くものでないと思われる。現在、しっかりと石鹸を定位置で保持するだけでなく、子供の興味を引くことができ、使用時にしっかりと掴むことができるバスミトンおよびシャワーミトンが必要とされている。
【発明の概要】
【発明が解決しようとする課題】
【０００６】
ニーズはあったが、これまで市販されていなかったものは、棒状石鹸もしくは液体石鹸がミトンから滑り落ちるよりもむしろ、洗浄の過程で定位置にとどまるように石鹸を挿入することができるバスミトンシャワーミトンである。このミトンはさらに、子供の興味を引くミトンでもあり、ミトンの上部に石鹸を入れることができるが、必要に応じて、容易に棒状石鹸もしくは他の石鹸供給源をすぐに取り出すことができる。さらに、バスシャワーミトンは、豊富な泡を作るために石鹸と水との相互作用を最大限に発揮するように水を保持する。本発明は、上述および他のニーズを満たすものである。
【課題を解決するための手段】
【０００７】
本発明は、最も一般的な態様では、スポンジ状材料で裏打ちされ、しっかりと石鹸を保持することができる石鹸ポケットを含む内部空洞内で石鹸と水とを保持することで石鹸と水との相互作用を最適化することができる。さらに、本発明の種々の態様は、両側でしっかり掴んで、使用者の身体をこする、もしくは肌角質を落とすことで、さらに洗浄体験を豊かなものにするのに役立つ。また、本発明の外側本体は、子供の興味を引く架空もしくは実在のキャラクタのような形状にすることができる。この特徴は、実用的なバスミトンもしくはシャワーミトンを子供にとっての遊びおよび娯楽の源になり、子供だけでなく、子供を入浴もしくはシャワーさせる親にとっても、より満足感が得られる入浴体験を提供することができるという点で有利である。別の態様では、外側本体は、非キャラクタもしくは象徴として表現される形状、例えば、スポーツロゴ、自動車、飛行機、スポーツボール、スポーツ用品などの形状にすることができる。
【０００８】
本発明は、さまざまな態様では、外側本体と、外側本体の内部に配置された空洞と、空洞へのアクセスを提供する外側本体の一部にある開口部と、使用者の指を受けるよう構成される指ポケットもしくはループとを備えたキャラクタ形状多孔質洗浄ミトンである。ミトンは、空洞内に配置される天然もしくは合成スポンジ、またはスポンジ状材料を含み、スポンジ状材料内に石鹸ポケットが成形される。石鹸ポケットは、石鹸を受けるよう構成され、使用時に石鹸ポケット内で石鹸を保持するためにスポンジを構造的に補強する透水性材料で裏打ちされる。石鹸は、水と密接に一貫して相互作用することができるので、豊富な泡を作り出すことができる。ミトンの片面にはきめの粗い部分があり、ミトンの外側本体と使用者の肌との間でさらに摩擦を生じさせて、使用者が肌をこする、もしくは肌角質を落とすことができることで、全体的に満足感の得られる洗浄体験が得られる。
【０００９】
一態様では、棒状石鹸もしくは液体石鹸は、キャラクタ形状ミトンの口部もしくは前方部に挿入されて、ミトンの内部空洞内で、ナイロンメッシュもしくは他の透水性材料で作られた石鹸ポケット内に配置されてもよい。
【００１０】
別の態様では、棒状石鹸は、例えば、子供に安全な面ファスナを使用して、石鹸ポケット内で固定される。
【００１１】
さらに別の態様では、本発明によれば、キャラクタ形状ミトンの本体に棒状石鹸もしくは液体石鹸を挿入し、ナイロンメッシュもしくは他の透水性材料の石鹸ポケット内で固定して、その後、石鹸ポケットを面ファスナを使用して締めることができる。
【００１２】
さらに別の態様では、本発明によれば、キャラクタ形状ミトンの後方部もしくは尾部に棒状石鹸もしくは液体石鹸を挿入し、石鹸ポケット内で固定して、その後、石鹸ポケットを面ファスナを使用して締めることができる。
【００１３】
さらに別の態様では、本発明によれば、キャラクタ形状ミトンの両側に開口部があり、その開口部は、使用者が使用時に泡だらけの状態でも、ミトンをしっかりと掴んだ状態を維持することができるように使用者の指を受けるよう構成される。さらに、キャラクタ形状ミトンは、ミトンの外側本体と使用者の肌との間でさらに摩擦を生じさせるために、ミトンの片側にきめの粗い部分を有することができる。
【００１４】
さらに別の態様では、本発明によれば、ミトンのスポンジ状内部空洞内で水をしっかり保持して石鹸を確実に位置決めすることにより、石鹸と水との相互作用を最大限に発揮することで豊富な泡を作り出すことができる。
【００１５】
本発明は、さらに別の態様では、外側本体と、外側本体の内部に配置された空洞と、空洞へのアクセスを提供する外側本体の一部にある開口部と、使用者の指を受けるよう構成される指ポケットもしくはループとを備えたキャラクタ形状の多孔質洗浄ミトンを含む。一代替態様では、ミトンは、空洞内に配置されるスポンジ状材料を含む。別の態様では、スポンジ状材料の内部に、石鹸ポケットが成形される。さらに別の態様では、スポンジ状材料は、水抜き穴、または泡成形を促進もしくは改善する他の変更形態有してもよい。さらに別の態様では、スポンジ状材料は、ヘチマのような非スポンジ材料もしくはスポンジ状材料と同様の働きをする合成材料と置き換えられてもよい。
【００１６】
さらに別の態様では、石鹸ポケットは、使用時に石鹸ポケット内で石鹸を保持するためにスポンジを構造的に補強する透水性物質で裏打ちされる。別の態様では、透水性材料はナイロンメッシュである。
【００１７】
別の態様では、外側本体は、多孔質材料で成形される。代替態様では、多孔質材料はタオル地である。
【００１８】
さらに別の態様では、空洞は石鹸を保持するよう構成される。一代替態様では、石鹸は固形棒状石鹸である。別の代替態様では、石鹸は液体石鹸である。
【００１９】
さらに別の態様では、ポケットを裏打ちする材料は、子供に安全なファスナを使用してミトンに取り付けられる。一態様では、ファスナは面ファスナである。
【００２０】
さらに別の態様では、開口部はミトンの口部に配置される。代替態様では、開口部はミトンの本体に配置される。さらに別の代替態様では、開口部はミトンの後方部に配置される。
【００２１】
さらに別の態様では、指ポケットは、使用者の指を受けるよう構成される。別の態様では、ループは、使用者の指を受けるよう構成される。
【００２２】
さらに別の態様では、外側本体と使用者の肌との間でさらに摩擦が生じるように、外側本体はきめの粗い部分を有する。
【００２３】
本発明の他の特徴および利点は、例として本発明の特徴を説明した添付図面と併せて、以下の詳細な説明から明らかになるであろう。
【図面の簡単な説明】
【００２４】
【図１】カバ型の口部挿入式バスミトンを備えた本発明の一実施形態の側面図である。
【図２】図１のバスミトンの内部空洞を裏打ちする合成スポンジ材料を示した図１の実施形態の部分切り取り側面図である。
【図３】図１のバスミトンの内部空洞を裏打ちする合成スポンジ材料内に成形された石鹸ポケットを示した図１の実施形態の部分切り取り側面図である。
【図４】バスミトンの口部から棒状石鹸もしくは液体石鹸を挿入してバスミトンの石鹸ポケット内に棒状石鹸を配置することができることを示した図１の実施形態の側面図である。
【図５】バスミトンのスポンジ裏打ち内部空洞の締めた石鹸ポケット内部の棒状石鹸を示した図４の実施形態の部分切り取り側面図である。
【図６】バスミトンの指ポケット内部の使用者の指を示した図１の実施形態の上面図である。
【図７】バスミトンの裏面のきめの粗い部分を示した図６の実施形態の底面図である。
【図８】ヒツジ型の本体挿入式合成バスミトンを備えた本発明の一実施形態の側面図である。
【図９】図８のバスミトンの内部空洞を裏打ちする合成スポンジ材料を示した図８の実施形態の部分切り取り側面図である。
【図１０】図８のバスミトンの内部空洞を裏打ちする合成スポンジ材料内に成形された石鹸ポケットを示した図８の実施形態の部分切り取り側面図である。
【図１１】バスミトンの胴体内の石鹸ポケットの開口部を示した図８の実施形態の斜視図である。
【図１２】バスミトンの本体から棒状石鹸もしくは液体石鹸を石鹸ポケット内に挿入して、棒状石鹸をバスミトンの石鹸ポケット内に配置することができることを示した図１１の実施形態の部分斜視図である。
【図１３】バスミトンの胴体内の石鹸ポケットを締めて棒状石鹸を固定することができることを示した図１１の実施形態の部分斜視図である。
【図１４】カメ型の後方部挿入式バスミトンを備えた本発明の一実施形態の側面図である。
【図１５】図１４のバスミトンの内部空洞を裏打ちする合成スポンジ材料内に成形された石鹸ポケットを示した図１４の実施形態の部分切り取り側面図である。
【図１６】バスミトンの後方部を持ち上げて、バスミトンのスポンジ裏打ち内部空洞の石鹸ポケット内部に棒状石鹸もしくは液体石鹸を配置して、石鹸ポケットを締めることができることを示した図１４の実施形態の部分的に切り取られた部分側面図である。
【図１７】バスミトンの後方部を閉じることによってバスミトンのスポンジ裏打ち内部空洞のポケット内で固定された棒状石鹸を示した図１６の実施形態の部分側面図である。
【発明を実施するための形態】
【００２５】
例示のための図面に示されているように、本発明は、身体を洗うのに使用することができるキャラクタ形状の合成スポンジ構造もしくは多孔質のミトンで具現化される。十分に身体を洗い、その間に良い体験をすることができるということが、長きにわたって幼児の親が直面する課題であった。親は、子供が入浴もしくはシャワー時にできる限りきれいになっているかを確認することが心配になるだけでなく、同時に子供に楽しい体験をさせてやりたいと思うものである。
【００２６】
一般に、本発明の種々の実施形態は、外側本体が子供の興味を引く架空もしくは実在のキャラクタの形状に成形されたバスミトンもしくはシャワーミトンを対象とする。キャラクタ形状ミトンの種々の実施形態は、タオル地もしくは身体を洗うのに使用するのに適した他の多孔質材料でキャラクタ形状多孔質ミトンを作成することで実現される。
【００２７】
図１は、本発明の一実施形態を示した図である。この実施形態では、バスミトンもしくはシャワーミトン（以降、「バスミトン」とする）１０は、カバの形状に成形された外観１５を有する。外観１５は、さまざまな特徴、例えば、ミトンを比較的しっかりと掴むことができるように使用者の指を挿入することができる指ポケット２０を含んでもよい。１つの指ポケット２０のみが図示されているが、当然、ミトンの他方の側に別の指ポケットを配置することができる。さらに、ミトンの外観は、１つまたは複数の装飾的特徴、例えば、目２５を含んでもよく、さらに乾燥もしくは保管のためにミトンを吊り下げるのに使用されるタグもしくはループ３０などの要素を含んでもよい。
【００２８】
図２は、キャラクタ形状多孔質ミトン１０の内部に成形された内部空洞３２を示した図１の実施形態の側面断面図であり、内部空洞の側面は、石鹸と水との相互作用を高めるために天然もしくは合成スポンジ３５、またはスポンジ状吸水性材料で裏打ちされる。スポンジは、さまざまな方法で、例えば、適切な接着剤を使用してスポンジをミトンの布地に接着することによって、内部空洞の側面に取り付けられてもよい。あるいは、スポンジは、他の手段を使用して、例えば、必要に応じて、スポンジの裏打ちを取り外して交換することができるように、面ファスナを使用して内部空洞の側面に取り付けられてもよい。スポンジを使用する目的は、水を保持して、水を石鹸と混合して、身体を洗うのに使用する豊富な泡を作ることである。
【００２９】
図３に示されるように、例えば、ナイロンメッシュのような材料もしくは同様の透水性材料で作られた石鹸ポケット４０であって、棒状石鹸もしくは液体石鹸を保持することができる石鹸ポケット４０は、スポンジ裏打ち３５の内側の内部空洞３２に配置される。この実施形態に示されるように、石鹸ポケット４０は、石鹸ポケット４０の内部へとつながった延長部４１を有する。延長部４１は、キャラクタ１０の口領域４３まで伸びる。
【００３０】
図４〜図５は、棒状石鹸４２もしくは液体石鹸４４をミトン内部に配置された石鹸ポケット４０に挿入する様子を示している。棒状石鹸は、石鹸ポケット４１の延長部（図３）から石鹸が石鹸ポケット４０の内部に配置されるまで、ミトンの外観によって成形されたキャラクタの口部に挿入される。ミトンが水に浸されると、水はスポンジ層３５によって吸収される。ミトンは、こすられ、あるいはそれ以外の形で操作されて、石鹸とスポンジと水とを相互作用させることにより、豊富なフォームもしくは泡が作り出され、その後、その泡が子供（もしくは使用者）の身体に適用するためにミトンの布地から染み出す。
【００３１】
図６は、ミトンを掴むための指ポケット２０の使用方法について示した図である。使用者４５は、指を指ポケット２０それぞれに挿入することができる。一般的には、使用者は、片手の親指４７を一方のポケット２０に挿入し、別の指、例えば、人差し指４８を他方の指ポケット２０に挿入する。指ポケットは、ミトンをしっかりと掴むのに役立つだけでなく、ミトンを掴んでいる人がミトンを絞る、振る、もしくはそれ以外の操作をして洗われている子供を喜ばせるのにも役立つ。当業者は、このような操作はミトンの使用者にとっても楽しいものであることが理解できるであろう。
【００３２】
図７は、キャラクタ形状バスミトンの一実施形態を示した図である。キャラクタ形状の底部は比較的平坦であり、底部は、ミトンと使用者の肌との間でさらに摩擦を生じさせるためのきめの粗い部分４９を有する材料で覆われ、もしくは成形され、きめの粗い部分４９は使用者の肌をこする、もしくは肌角質を落とすのに適している。
【００３３】
図１の実施形態に関して示したように、棒状石鹸をキャラクタ形状ミトンの口部から挿入することで、ミトンの架空もしくは実在のキャラクタのサイズおよび形状、使用者の手のサイズに応じて、または石鹸と水との相互作用によって作られた豊富な泡と接触する肌の表面積を最大化するために、使いやすくなる。
【００３４】
図８〜図１３に示されている別の実施形態では、棒状石鹸もしくは液体石鹸は、キャラクタ形状ミトンの胴体の開口部から挿入可能である。図８は、ヒツジ型外観５５を有するミトン５０を示した図である。この実施形態では、ミトンの上面に、ミトンの内部へのアクセスを提供する開口部６０が成形される。ミトンはさらに、図１の実施形態と同様に、目７０（例えば、ハート型が型押しもしくはプリントされた）のような装飾的特徴、指ポケット７５、およびタグ６５を含んでもよい。
【００３５】
図９は、図８の実施形態の側面断面図であり、スポンジ８０で裏打ちされた内部７７を示した図である。図１０は、ミトンの内部にスポンジ裏打ち８０内に配置された石鹸ポケット８５を位置決めする様子を示した図である。石鹸ポケットの上部は、石鹸ポケットの壁部によって画定された石鹸ポケットの内部空洞にアクセス可能とするする開口部を有する。開口部は、ミトンの上面の開口部６０を成形する布地の壁部に取り付けられる。いくつかの実施形態では、開口部６０に面ファスナもしくは他の締結手段が配置されてもよく、開口部の側面が互いに隣接して配置された場合に開口部６０を閉位置で維持するように構成してもよい。
【００３６】
図１１〜図１３は、ミトン本体の内部に石鹸を挿入する様子および使用時に石鹸を内部で保持する１つの方法を詳細に示した図である。図１１に示されているように、開口部６０は、矢印で示されるように面ファスナを剥がすことによって開口される。棒状石鹸９５もしくは液体石鹸９７は、開口部６０から挿入されることによって石鹸ポケット８５内に配置される。図１０に示されるように、開口部６０は、矢印で示されるように、開口部６０の側面を寄せることによって閉じられ、面ファスナ９０を係合させて開口部を閉位置で維持することで石鹸を石鹸ポケット８５内で保持する。
【００３７】
図１１〜図１３に示されるように、棒状石鹸もしくは液体石鹸を開口部からキャラクタの本体に挿入することで、より簡単に棒状石鹸を挿入して取り出すことができる。さらに、スポンジ状内部での石鹸の位置に応じて、より豊富な泡を作り出すことができる。
【００３８】
さらに別の実施形態では、図１４〜図１７に示されるように、棒状石鹸もしくは液体石鹸は、キャラクタ形状ミトンの後方部もしくは尾部から挿入可能である。例えば、図１４は、カメ型外観１１５を有するミトン１００を示した図である。この実施形態では、開口部（図１４に図示せず）は、ミトンに内部へのアクセスを提供するミトンのキャラクタの後方部もしくは尾部に成形される。ミトンはさらに、図１の実施形態と同様に、目１０５（例えば、ハート型が型押しもしくはプリントされた）のような装飾的特徴、指ポケット１１０、およびタグ１２０を含んでもよい。
【００３９】
図１５は、図１４の実施形態の側面断面図である。ミトン１００の内部１２２の少なくとも一部がスポンジ１２５で裏打ちされる。石鹸ポケット１３０は、ミトンの内部１２２内のスポンジ裏打ち１２５内に配置される。
【００４０】
図１６は、キャラクタミトン１５０の後方部もしくは尾部の部分図であり、ミトンの後方部もしくは尾部に配置された開口部１４０を示した図であり、棒状石鹸１４２もしくは液体石鹸１４４は開口部１４０から石鹸ポケット１３０に挿入される。図１１〜図１３に示されている実施形態と同様に、開口部の縁部は面ファスナ１３５を含んでもよい。面ファスナ１３５は、図１７に示されるように、開口部１４０が閉じられた時に係合され、石鹸１４２はミトンの内部に配置された石鹸ポケット内で保持される。
【００４１】
さらに別の実施形態では、キャラクタ形状ミトンの石鹸ポケットは、ナイロンメッシュ、もしくは他の透水性材料で作られ、子供に安全な面ファスナもしくは同様の締結具を使用して締められて、棒状石鹸をしっかりと収納することができる。ナイロンメッシュもしくは他の透水性材料でポケットを成形することにより、キャラクタ形状ミトンの空洞のスポンジ状内部からの水が棒状石鹸もしくは液体石鹸と密接に相互作用することができるので、豊富な泡を作る出すことができる。さらに、使用時にポケットを閉じた状態で維持する面ファスナもしくは同様の締結具によって、ミトン使用時に棒状石鹸が定位置で保持され、さらに豊富な泡を使用者の肌の上に放出することができる。
【００４２】
別の実施形態では、スポンジ状材料はさらに、バスミトンの使用時に泡の成形を助長するような材料の構造の変形形態を含んでもよい。例えば、ミトンの使用時に、泡の成形を助長するために水抜き穴が含まれる場合もある。さらに他の実施形態では、スポンジ状材料は、合成材料で成形されてもよいし、ヘチマまたはメッシュもしくはメッシュ状構造を有するプラスチック材料などの材料で作られてもよい。
【００４３】
いくつかの実施形態では、石鹸ポケットは、キャラクタ形状ミトンのスポンジで裏打ちされた空洞内に液体石鹸を入れて保持することができるように成形される。これらの実施形態では、石鹸ポケットは、空洞のスポンジ状内部から水が流れ出てきた時に液体石鹸が水と混ざるまで、液体石鹸が石鹸ポケット内にとどまるような形状に成形されてもよい。
【００４４】
本発明の種々の実施形態はキャラクタのような形を使用して説明されているが、当然、本発明の範囲から逸脱せずに、バスミトンに対して他の外観形状を使用してもよい。例えば、これらに限定されないが、バスミトンの形状は、非キャラクタもしくはアイコンとして、例えば、スポーツロゴ、自動車、飛行機、スポーツボール、もしくは他のスポーツ用品などに成形されてもよい。
【００４５】
本発明の複数の特定の形態について例示して説明してきたが、本発明の精神および範囲から逸脱せずに種々の変更が加えられてもよいことは明らかであろう。
【図１】
2015530152.tif 000003
【図２】
2015530152.tif 000004
【図３】
2015530152.tif 000005
【図４】
2015530152.tif 000006
【図５】
2015530152.tif 000007
【図６】
2015530152.tif 000008
【図７】
2015530152.tif 000009
【図８】
2015530152.tif 000010
【図９】
2015530152.tif 000011
【図１０】
2015530152.tif 000012
【図１１】
2015530152.tif 000013
【図１２】
2015530152.tif 000014
【図１３】
2015530152.tif 000015
【図１４】
2015530152.tif 000016
【図１５】
2015530152.tif 000017
【図１６】
2015530152.tif 000018
【図１７】
2015530152.tif 000019
【国際調査報告】
2015530152.tif 000020
2015530152.tif 000021